(57)【要約】【課題】簡便な構成で温度表示機能を備える時計用文字盤を提供する。【解決手段】時計用の文字盤７に関する。対向配置される下基板１３及び上基板１５と、下基板１３及び上基板１５の間にカイラル材を含有するコレステリック液晶が配置される液晶１６と、を含んで構成される温度表示部１９を備える。そして、文字盤７の表面には時刻を示す数字６を備え、数字６の周囲に温度表示部１９を備える。さらに、液晶１６の色と液晶１６の温度との関係を示す非装着時換算表示部１７及び装着時換算表示部１８を備える。この非装着時換算表示部１７は時計を装着しないときの関係を表示し、装着時換算表示部１８は時計を装着するときの関係を表示する。【選択図】図２
2009133659.tif 000002
【特許請求の範囲】
【請求項１】
対向配置される一対の基板と、
前記一対の基板の間にカイラル材を含有するコレステリック液晶が配置される液晶層と、
を含んで構成される温度表示部を備えることを特徴とする時計用文字盤。
【請求項２】
請求項１に記載の時計用文字盤であって、
時刻を示すマークを備え、前記マークの周囲に前記温度表示部を備えることを特徴とする時計用文字盤。
【請求項３】
請求項１に記載の時計用文字盤であって、
前記液晶層の色と前記液晶層の温度との関係を示す色温度換算表示部を備えることを特徴とする時計用文字盤。
【請求項４】
請求項３に記載の時計用文字盤であって、
前記時計用文字盤は腕時計に配置され、
前記色温度換算表示部は、前記腕時計が腕に装着されているときの気温と前記液晶層の色との関係を示す装着時換算表示部と、前記腕時計が腕に装着されていないときの気温と前記液晶層の色との関係を示す非装着時換算表示部と、を備えることを特徴とする時計用文字盤。
【請求項５】
請求項１に記載の時計用文字盤であって、
時刻を示すマークを備え、前記マークが前記温度表示部を含んで構成されることを特徴とする時計用文字盤。
【請求項６】
対向配置される一対の基板と、
前記一対の基板の間にカイラル材を含有するコレステリック液晶が配置される液晶層と、
を含んで構成される温度表示部を備えることを特徴とする時計用指針。
【請求項７】
底部と前記底部と対向配置される蓋部と、
前記底部と前記蓋部との間にカイラル材を含有するコレステリック液晶が配置される液晶層と、を含んで構成される温度表示部を備えることを特徴とする時計用竜頭。
【請求項８】
対向配置される一対の基板と、
前記一対の基板の間にカイラル材を含有するコレステリック液晶が配置される液晶層と、
を含む温度表示部を備えることを特徴とする手首用バンド。
【請求項９】
請求項１〜５のいずれか一項に記載の時計用文字盤と請求項６に記載の時計用指針と請求項７に記載の時計用竜頭と請求項８に記載の手首用バンドとのうち、少なくとも１つを備えることを特徴とする腕時計。
【請求項１０】
指針を駆動する指針駆動部と、前記指針駆動部を覆う外装部とを備え、前記指針駆動部が観察可能なスケルトン腕時計であって、 
前記外装部は、前記指針駆動部に対して前記指針と反対側に裏蓋を備え、
対向配置される一対の基板と、
前記一対の基板の間にカイラル材を含有するコレステリック液晶が配置される液晶層と、
を含んで構成される温度表示部を前記裏蓋の近くに備えることを特徴とするスケルトン腕時計。
【請求項１１】
時刻をデジタル表示するデジタル時計であって、
時刻を計時する計時部と、
計時した時刻を表示する時刻表示部と、
前記時計表示部の近くに配置される温度表示部と、
前記計時部を覆う外装部とを備え、
前記温度表示部は対向配置される一対の基板と、前記一対の基板の間にカイラル材を含有するコレステリック液晶が配置される液晶層と、を含んで構成されることを特徴とするデジタル時計。
【請求項１２】
時計用文字盤の製造方法であって、
第１基板の上にコレステリック液晶を含む液晶層を配置する液晶配置工程と、
前記液晶層を前記第１基板と第２基板とにより挟んで封止する封止工程と、を有し、
前記液晶配置工程では、前記液晶層の材料である液状体を液滴にして吐出することにより前記液晶層を配置することを特徴とする時計用文字盤の製造方法。
【請求項１３】
時計用指針の製造方法であって、
第１基板の上にコレステリック液晶を含む液晶層を配置する液晶配置工程と、
前記液晶層を前記第１基板と第２基板とにより挟んで封止する封止工程と、を有し、
前記液晶配置工程では、前記液晶層の材料である液状体を液滴にして吐出することにより前記液晶層を配置することを特徴とする時計用指針の製造方法。
【発明の詳細な説明】
【技術分野】
【０００１】
本発明は、時計用文字盤、時計用指針、及びその製造方法に係り、特に温度を表示する装置に関するものである。
【背景技術】
【０００２】
腕時計は常時携帯することが多いので、単に時間を表示する機能に加えて、便利な機能を付加した物が考案されている。その中で、腕時計型温度センサが特許文献１に開示されている。これによると、指針をカバーするガラス板に温度センサ、温度検出回路、半導体メモリー、温度表示部を備えている。そして、温度センサが検出する温度を電気信号に変え、温度検出回路が半導体メモリーを用いて演算した後、温度表示部に表示していた。
【０００３】
一方、温度によって色が変わる物にコレステリック液晶が知られている。そして、特許文献２にこのコレステリック液晶をテーブルに応用した例が紹介されている。これによると、コレステリック液晶とヒドロキシプロピルセルロースとを一対の板ガラスに挟んだ後、この板ガラスをテーブルにはめ込んでいる。
【０００４】
【特許文献１】特開２００４−１７７２８６号公報
【特許文献２】特開平６−２１７８３１号公報
【発明の開示】
【発明が解決しようとする課題】
【０００５】
温度センサ、温度検出回路、半導体メモリー、温度表示部を用いて温度計の機能をそなえた腕時計を構成することは、温度を精度良く測定できるが、複雑な構成となる。従って、温度測定機能を備えた腕時計は生産性の悪い物となっていた。
【課題を解決するための手段】
【０００６】
本発明は、上述の課題の少なくとも一部を解決するためになされたものであり、以下の形態又は適用例として実現することが可能である。
【０００７】
［適用例１］
本適用例にかかる時計用文字盤は、対向配置される一対の基板と、前記一対の基板の間にカイラル材を含有するコレステリック液晶が配置される液晶層と、を含んで構成される温度表示部を備えることを特徴とする。
【０００８】
この時計用文字盤によれば、カイラル材により反射光の波長分布が所定の分布を有するコレステリック液晶が配置されている。コレステリック液晶は温度に反応して反射光の波長分布が変わるので、この時計用文字盤を見ることによりこの文字盤の温度を知ることができる。そして、時計用文字盤は時計の外気に近い場所に配置されることが多いので、時計用文字盤は外気の温度に近い温度になることが多い。従って、時計用文字盤を見ることにより外気の温度の概略を知ることができる。又、この文字盤は簡便な構造で構成されているので、温度センサと制御回路と表示部とにより温度表示する文字盤を構成する場合に比べて生産性良く製造することができる。
【０００９】
［適用例２］
上記適用例にかかる時計用文字盤は、時刻を示すマークを備え、前記マークの周囲に前記温度表示部を備えることを特徴とする。
【００１０】
この時計用文字盤によれば、時刻を確認するとき時刻を示すマークと同時に温度表示部を見ることができる。従って、温度と時刻とを同時に知ることができる。
【００１１】
［適用例３］
上記適用例にかかる時計用文字盤は、前記液晶層の色と前記液晶層の温度との関係を示す色温度換算表示部を備えることを特徴とする。
【００１２】
この時計用文字盤によれば、液晶層の色と色温度換算表示部とを見ることにより、容易に液晶層の温度を知ることができる。
【００１３】
［適用例４］
上記適用例にかかる時計用文字盤は腕時計に配置され、前記色温度換算表示部は、前記腕時計が腕に装着されているときの気温と前記液晶層の色との関係を示す装着時換算表示部と、前記腕時計が腕に装着されていないときの気温と前記液晶層の色との関係を示す非装着時換算表示部と、を備えることを特徴とする。
【００１４】
この時計用文字盤によれば、装着時換算表示部と非装着時換算表示部とを備えている。腕時計を腕に装着するとき、腕の温度が文字盤に影響する。従って、時計と腕に装着するときと、しないときでは、文字盤の温度が異なる。そして、この文字盤では両方の場合に対応する換算表示部を備えている。従って、この時計用文字盤が配置されている腕時計を腕に装着したときと装着していないときとの両方において気温の温度を知ることができる。
【００１５】
［適用例５］
上記適用例にかかる時計用文字盤において、時刻を示すマークを備え、前記マークが前記温度表示部を含んで構成されることを特徴とする。
【００１６】
この時計用文字盤によれば、時刻を確認するとき時刻を示すマークと同時に温度表示部を見ることができる。従って、時刻を確認するとき、温度と時刻とを同時に知ることができる。
【００１７】
［適用例６］
本適用例にかかる時計用指針は、対向配置される一対の基板と、前記一対の基板の間にカイラル材を含有するコレステリック液晶が配置される液晶層と、を含んで構成される温度表示部を備えることを特徴とする。
【００１８】
この時計用指針によれば、時刻を確認するとき時刻を示す指針と同時に温度表示部を見ることができる。従って、時刻を確認するとき、温度と時刻とを同時に知ることができる。
【００１９】
［適用例７］
本適用例にかかる時計用竜頭は、底部と前記底部と対向配置される蓋部と、前記底部と前記蓋部との間にカイラル材を含有するコレステリック液晶が配置される液晶層と、を含んで構成される温度表示部を備えることを特徴とする。
【００２０】
この時計用竜頭によれば、温度表示部が備わっている。そして、時計用竜頭は時計の外気に近い場所に配置されることが多いので、時計用竜頭は外気の温度に近い温度になることが多い。従って、時計用竜頭を見ることにより外気の温度の概略を知ることができる。
【００２１】
［適用例８］
本適用例にかかる手首用バンドは、対向配置される一対の基板と、前記一対の基板の間にカイラル材を含有するコレステリック液晶が配置される液晶層と、を含む温度表示部を備えることを特徴とする。
【００２２】
この手首用バンドによれば、温度表示部が備わっている。そして、手首用バンドは携帯性が良いので、所望の場所で手首用バンドの温度表示部を見ることにより温度を知ることができる。
【００２３】
［適用例９］
本適用例にかかる腕時計は、上記に記載の時計用文字盤と上記に記載の時計用指針と上記に記載の時計用竜頭と上記に記載の手首用バンドとのうち、少なくとも１つを備えることを特徴とする。
【００２４】
この腕時計によれば、温度表示部を備えた部品を備えている。この温度表示部は簡便な構造にできるので、温度表示部を備えた腕時計を生産性良く製造することができる。
できる。
【００２５】
［適用例１０］
本適用例にかかるスケルトン腕時計は、指針を駆動する指針駆動部と、前記指針駆動部を覆う外装部とを備え、前記指針駆動部が観察可能なスケルトン腕時計であって、前記外装部は、前記指針駆動部に対して前記指針と反対側に裏蓋を備え、対向配置される一対の基板と、前記一対の基板の間にカイラル材を含有するコレステリック液晶が配置される液晶層と、を含んで構成される温度表示部を前記裏蓋の近くに備えることを特徴とする。
【００２６】
このスケルトン腕時計によれば、裏蓋に温度表示部を備えている。このスケルトン腕時計を人が装着するとき、裏蓋又は温度表示部が腕に密着することが多い。このとき、温度表示部は裏蓋と近い場所に配置されるので、腕の温度に近い温度を表示することができる。そして、体温が高いとき、腕の温度も高くなるので、体温の高低の傾向を知ることができる。
【００２７】
［適用例１１］
本適用例にかかるデジタル時計は、時刻をデジタル表示するデジタル時計であって、時刻を計時する計時部と、計時した時刻を表示する時刻表示部と、前記時刻表示部の近くに配置される温度表示部と、前記計時部を覆う外装部とを備え、前記温度表示部は対向配置される一対の基板と、前記一対の基板の間にカイラル材を含有するコレステリック液晶が配置される液晶層と、を含んで構成されることを特徴とする。
【００２８】
このデジタル時計によれば、時刻表示部に近い場所に温度表示部を備えている。そして、時刻を確認するとき時刻表示部と同時に温度表示部を見ることができる。従って、時刻を確認するとき、温度と時刻とを同時に見ることができる。
【００２９】
［適用例１２］
本適用例にかかる時計用文字盤の製造方法は、第１基板の上にコレステリック液晶を含む液晶層を配置する液晶配置工程と、前記液晶層を前記第１基板と第２基板とにより挟んで封止する封止工程と、を有し、前記液晶配置工程では、前記液晶層の材料である液状体を液滴にして吐出することにより前記液晶層を配置することを特徴とする。
【００３０】
この時計用文字盤の製造方法によれば、液晶層の材料である液状体を液滴にして吐出していることから、液晶層の材料は必要な量だけ配置される。従って、液晶層の材料を無駄なく配置することができる。その結果、省資源な製造方法とすることができる。
【００３１】
［適用例１３］
本適用例にかかる時計用指針の製造方法は、第１基板の上にコレステリック液晶を含む液晶層を配置する液晶配置工程と、前記液晶層を前記第１基板と第２基板とにより挟んで封止する封止工程と、を有し、前記液晶配置工程では、前記液晶層の材料である液状体を液滴にして吐出することにより前記液晶層を配置することを特徴とする。
【００３２】
この時計用指針の製造方法によれば、液晶層の材料である液状体を液滴にして吐出していることから、液晶層の材料は必要な量だけ配置される。従って、液晶層の材料を無駄なく配置することができる。
【発明を実施するための最良の形態】
【００３３】
以下、実施形態について図面に従って説明する。
尚、各図面における各部材は、各図面上で認識可能な程度の大きさとするため、各部材毎に縮尺を異ならせて図示している。
（第１の実施形態）
本実施形態ではコレステリック液晶を用いることより、温度表示が可能な時計用文字盤の特徴的な例について図１〜図５に従って説明する。
【００３４】
（腕時計）
図１は、腕時計の構成を示す概略斜視図である。図１に示すように、腕時計１は腕時計本体２と手首用バンド３とから構成されている。そして、腕時計本体２と手首用バンド３とで輪を形成している。この輪に腕を通して装着することにより、携帯し易くなっている。
【００３５】
腕時計本体２は時刻を表示する表示部４と外装ケース５を備えている。表示部４は１〜１２までのマークとしての数字６が形成されている文字盤７と時刻を示す指針としての時針８と指針としての分針９とが配置されている。そして、時針８と分針９とが文字盤７の中心を軸にして回転して、数字６を指し示すことにより時刻を表示する。
【００３６】
外装ケース５は略円柱状に形成され、外装ケース５の内部には表示部４や時針８及び分針９を駆動する機構であるムーブメントが収納されている。外装ケース５の側面には一対のバンド接続部１０及び竜頭１１が配置されている。バンド接続部１０は表示部４を挟んで対向する場所に位置しており、腕時計本体２と手首用バンド３とを接続している。
【００３７】
外装ケース５の側面には竜頭１１が配置されている。竜頭１１はムーブメントに接続されている。操作者はこの竜頭１１を引き出して回転することにより、時針８及び分針９を回転して時刻合わせを行うことができる。手首用バンド３は接続具１２を備え、手首用バンド３の長さを調節可能となっている。
【００３８】
（文字盤）
図２（ａ）は、文字盤を示す模式平面図であり、図２（ｂ）は文字盤を示す模式断面図である。そして、図２（ｂ）は図２（ａ）のＡ−Ａ’における断面図である。図２に示すように、文字盤７は基板及び第１基板としての下基板１３を備えている。下基板１３は、外周１３ａが略円形に形成された円板であり、下基板１３の中心には孔１３ｂが形成されている。下基板１３は文字盤７が撓み難い強度を備えていれば良く、金属板やプラスチック板を用いることができる。本実施形態においては、例えば、真鍮からなる板にニッケルメッキを施した板を採用している。
【００３９】
下基板１３上において、外周１３ａ及び孔１３ｂの付近にはシール１４が配置され、シール１４の上には基板及び第２基板としての上基板１５が配置されている。上基板１５は下基板１３と略同じ形状に形成され、外周１５ａは略円形に形成され、上基板１５の中心には孔１５ｂが形成されている。そして、文字盤７を腕時計本体２に配置するとき、孔１３ｂ及び孔１５ｂを通って時針８の軸及び分針９の軸が配置される。この上基板１５は光透過性のある板であればよく、ガラス板やプラスチック板等を採用することができる。本実施形態においては、例えば、ガラス板を採用している。
【００４０】
そして、下基板１３と上基板１５との間には液晶層としての液晶１６が配置されている。この液晶１６はシール１４により囲まれて配置されており、文字盤７から漏れ出さないようになっている。液晶１６はカイラル材を含有するコレステリック液晶等からなり、反射率が高く、温度により反射光の波長が変化する特徴を備えている。従って、金属光沢に近い外観を備えている。カイラル材はコレステリック液晶に含有する量を変更することにより液晶１６がねじれる間隔（ピッチとも言う）を変更することが可能である。そして、液晶１６に白色光を照射するときに反射する光の波長を調整することができる。
【００４１】
上基板１５の上には数字６が配置されている。数字６は文字として判読可能であればよく、塗料や文字状に形成した文字片を配置することができる。本実施形態では、例えば、塗料を用いて数字６を形成している。さらに、上基板１５の上には色温度換算表示部としての非装着時換算表示部１７及び色温度換算表示部としての装着時換算表示部１８が配置されている。非装着時換算表示部１７は液晶１６に反射した反射光の色と気温との関係を表示している。例えば、本実施形態では、１５度、２０度、２５度、３０度の文字１７ａと各文字の温度に対応する液晶１６の色を示す色見本１７ｂが配置されている。この文字盤７において、液晶１６が見える場所を温度表示部１９とする。温度表示部１９はシール１４以外の範囲が含まれる。そして、観察者は温度表示部１９における液晶１６の色と色見本１７ｂの色とを比較して気温を推定することが可能となっている。
【００４２】
液晶１６の色は腕時計１を腕に装着したときと、装着していないときとでは異なる色調となる。これは、腕時計１を装着するとき、腕の温度が腕時計本体２を伝わって液晶１６に伝熱するためである。そして、腕時計１を腕に装着しないときは非装着時換算表示部１７を用いて気温を推定する。一方、装着時換算表示部１８は、腕時計１を腕に装着するときの色見本１８ｂと文字１８ａとが配置されている。そして、腕時計１を腕に装着するとき、観察者は液晶１６の色と色見本１８ｂの色とを比較して気温を推定することが可能となっている。
【００４３】
（液滴吐出装置）
次に、ワークに液滴を吐出して塗布する液滴吐出装置２１について図３に従って説明する。液滴吐出装置に関しては様々な種類の装置があるが、インクジェット法を用いた装置が好ましい。インクジェット法は微小な液滴の吐出が可能であるため、微細加工に適している。
【００４４】
図３（ａ）は、液滴吐出装置の構成を示す概略斜視図である。液滴吐出装置２１により、機能液が吐出され塗布される。図３に示すように、液滴吐出装置２１には、直方体形状に形成される基台２２を備えている。本実施形態では、この基台２２の長手方向をＹ方向とし、Ｙ方向と直交する方向をＸ方向とする。
【００４５】
基台２２の上面２２ａには、Ｙ方向に延在する一対の案内レール２３ａ，２３ｂがＹ方向全幅にわたり凸設されている。その基台２２の上側には、一対の案内レール２３ａ，２３ｂに対応する図示しない直動機構を備えた走査手段を構成するステージ２４が取付けられている。そのステージ２４の直動機構は、例えば案内レール２３ａ，２３ｂに沿ってＹ方向に延びるネジ軸（駆動軸）と、同ネジ軸と螺合するボールナットを備えたネジ式直動機構である。そして、ステージ２４はＹ方向に沿って往動又は復動可能となっている。
【００４６】
さらに、基台２２の上面２２ａには、案内レール２３ａ，２３ｂと平行に主走査位置検出装置２５が配置され、ステージ２４の位置が計測できるようになっている。そのステージ２４の上面には、載置面２６が形成され、その載置面２６には、図示しない吸引式の基板チャック機構が設けられている。そして、載置面２６に下基板１３が並べられた配列治具２７を載置すると、基板チャック機構によって、その配列治具２７が載置面２６の所定位置に位置決めされて、固定されるようになっている。
【００４７】
基台２２のＸ方向両面には、一対の支持台２８ａ，２８ｂが立設され、その一対の支持台２８ａ，２８ｂには、Ｘ方向に延びる案内部材２９が架設されている。案内部材２９の上側には、吐出する機能液を供給可能に収容する収容タンク３０が配設されている。一方、その案内部材２９の下側には、Ｘ方向に延びる案内レール３１がＸ方向全幅にわたり凸設されている。
【００４８】
案内レール３１に沿って移動可能に配置されるキャリッジ３２は、略底面が菱形の角柱状に形成されている。そのキャリッジ３２には、ステージ２４と同様の直動機構が配置されているので、キャリッジ３２はＸ方向に沿って往動又は復動可能となっている。案内部材２９とキャリッジ３２との間には、副走査位置検出装置３３が配置され、キャリッジ３２の位置が計測できるようになっている。そして、キャリッジ３２の下面（ステージ２４側の面）には、液滴吐出ヘッド３４が凸設されている。従って、ステージ２４とキャリッジ３２とを移動することにより、下基板１３の所望の場所と対向する場所に、液滴吐出ヘッド３４を位置することが可能となっている。
【００４９】
図３（ｂ）は、液滴吐出ヘッドの構造を説明するための要部模式断面図である。図３（ｂ）に示すように、液滴吐出ヘッド３４は、ノズルプレート３７を備え、ノズルプレート３７には、ノズル３８が形成されている。ノズルプレート３７の上側であって、ノズル３８と相対する位置には、ノズル３８と連通するキャビティ３９が形成されている。そして、液滴吐出ヘッド３４のキャビティ３９には、収容タンク３０に貯留されている液状体としての機能液４０が供給される。
【００５０】
キャビティ３９の上側には、上下方向（Ｚ方向）に振動して、キャビティ３９内の容積を拡大縮小する振動板４１と、上下方向に伸縮して振動板４１を振動させる圧電素子４２が配設されている。圧電素子４２が上下方向に伸縮して振動板４１を加圧して振動し、振動板４１がキャビティ３９内の容積を拡大縮小してキャビティ３９を加圧する。それにより、キャビティ３９内の圧力が変動し、キャビティ３９内に供給された機能液４０は、ノズル３８を通って吐出されるようになっている。
【００５１】
そして、液滴吐出ヘッド３４が圧電素子４２を制御駆動するための駆動信号を受けると、圧電素子４２が伸張して、振動板４１がキャビティ３９内の容積を縮小する。その結果、液滴吐出ヘッド３４のノズル３８からは、縮小した容積分の機能液４０が液滴４３として吐出される。
【００５２】
（文字盤の製造方法）
次に、上述した液滴吐出装置２１を用いて、文字盤７を製造する製造方法について、図４及び図５を用いて説明する。図４は、文字盤の製造工程を示すフローチャートである。図５は、文字盤の製造方法を説明する図である。
【００５３】
図４において、ステップＳ１は、シール形成工程に相当し、下基板に、シール材を塗布する工程である。次にステップＳ２に移行する。ステップＳ２は、液晶配置工程に相当し、シール材に囲まれた中に液晶を塗布する工程である。次にステップＳ３に移行する。ステップＳ３は、封止工程に相当し、下基板と上基板とをシール材料で接着する工程である。次にステップＳ４に移行する。ステップＳ４は、印刷工程に相当し、上基板に数字等の文字を印刷する工程である。以上の工程で文字盤の製造工程を終了する。
【００５４】
次に、図５を用いて、図４に示したステップと対応させて、文字盤の製造方法を詳細に説明する。図５（ａ）〜図５（ｂ）は、ステップＳ１に対応する図である。図５（ａ）に示すように、スクリーン印刷法を用いて下基板１３にシール材４６を塗布する。このシール材４６は紫外線効果性の樹脂を用いている。例えば、本実施形態では、紫外線硬化型エポキシ樹脂を採用している。まず、シール材４６を塗布するパターンに合わせて形成されたマスク４７を用意する。そして、下基板１３にマスク４７を重ねて、マスク４７の上にシール材４６を塗布する。そして、マスク４７の上面に沿ってスキージ４８を移動する。このとき、シール材４６はマスク４７に形成されたパターンと同じ形状で下基板１３に塗布される。その結果、図５（ｂ）に示すように、下基板１３の外周１３ａ及び孔１３ｂの近くにシール材４６が塗布される。
【００５５】
図５（ｃ）及び図５（ｄ）はステップＳ２に対応する図である。図５（ｃ）に示すように、液滴吐出ヘッド３４のノズル３８から液晶１６を液滴４３にして吐出する。そして、下基板１３上において、シール材４６に囲まれている場所に液晶１６を塗布する。このとき、液滴吐出装置２１は吐出量を精度良く制御できるので、所定の量の液晶１６を塗布することができる。その結果、図５（ｄ）に示すように、液晶１６が塗布される。
【００５６】
図５（ｅ）はステップＳ３に対応する図である。図５（ｅ）に示すように、液晶１６が塗布された下基板１３と上基板１５とを重ねて配置する。次に、下基板１３を真空チャンバ内に配置した後、真空チャンバ内の空気を脱気する。このとき、下基板１３と上基板１５とに挟まれた場所と液晶１６に介在する空気が脱気される。次に、真空チャンバに空気を流入した後、下基板１３を真空チャンバから取り出す。そして、シール材４６に紫外線を照射することにより、シール材４６を固化する。その後、シール材４６を加熱することにより、さらにシール材４６を固化してシール１４を形成する。
【００５７】
図５（ｆ）はステップＳ４に対応する図である。図５（ｆ）に示すように、上基板１５に数字６、非装着時換算表示部１７、装着時換算表示部１８を印刷する。印刷する方法は、スクリーン印刷、オフセット印刷、インクジェット法等の印刷を用いることができる。本実施形態においては、例えば、インクジェット法を採用してカラー印刷を行っている。
そして、塗料を数字６の形状に吐出して数字６、図２に示す非装着時換算表示部１７、図２に示す装着時換算表示部１８を形成する。以上の工程により文字盤７を製造する工程を終了する。
【００５８】
上述したように、本実施形態によれば、以下の効果を有する。
（１）本実施形態によれば、文字盤７にコレステリック液晶が配置されている。そして、文字盤７は腕時計１の外気に近い場所に配置されることが多いので、文字盤７は外気の温度に近い温度になることが多い。従って、文字盤７を見ることにより外気の温度の概略を知ることができる。又、この文字盤７は簡便な構造で構成されているので、温度センサと制御回路と表示部とにより温度表示する文字盤を構成する場合に比べて生産性良く製造することができる。
【００５９】
（２）本実施形態によれば、時刻を確認するとき数字６と同時に気温を表示する文字盤７を見ることができる。従って、時刻を確認するとき、気温と時刻とを同時に知ることができる。
【００６０】
（３）本実施形態によれば、液晶１６の色と非装着時換算表示部１７及び装着時換算表示部１８とを見ることにより、容易に気温の度数を知ることができる。
【００６１】
（４）本実施形態によれば、この文字盤７が配置されている腕時計１を腕に装着したときと装着していないときとの両方において気温を知ることができる。
【００６２】
（５）本実施形態によれば、液滴吐出装置２１を用いて、液晶１６の材料である液状体を液滴４３にして吐出していることから、液晶層の材料は必要な量だけ配置される。従って、液晶層の材料を無駄なく配置することができる。従って、省資源にできる。又、塗布される液晶１６がシール材４６に囲まれた範囲を越えることを防止できる為、シール材４６を越えて塗布される液晶１６を除去する工程が不要となる。
【００６３】
（第２の実施形態）
本実施形態では、コレステリック液晶を用いることより、温度表示が可能な時計用指針の一実施形態について図６〜図８を用いて説明する。この実施形態が第１の実施形態と異なるところは、コレステリック液晶を時計用指針に配置する点にある。尚、第１の実施形態と同じ点については説明を省略する。
【００６４】
図６（ａ）は、時針を示す模式平面図であり、図６（ｂ）は、時針を示す模式断面図である。そして、図６（ｂ）は図６（ａ）のＢ−Ｂ’における断面図である。図６に示すように、時針８は１方向に長い二等辺三角形の底辺に半円が配置されたような形状に形成されている。そして、三角形の頂点が文字盤７の数字６を指し示すことにより時刻を表示するようになっている。
【００６５】
時針８は基板及び第１基板としての下基板５０を備えている。下基板５０の外形は時針８の外形と同じ形状となっており、半円側に孔５０ａを備えている。そして、この孔５０ａと二等辺三角形の頂点との間には凹部５０ｂが形成されている。下基板５０は撓み難い強度を備えていれば良く、金属板やプラスチック板を用いることができる。本実施形態においては、例えば、真鍮からなる板にニッケルメッキを施した板を採用している。
【００６６】
下基板５０の凹部５０ｂ内には第１の実施形態と同様の液晶１６が配置されている。従って、反射率が高く、温度により反射光の波長が変化する特徴を備えている。この凹部５０ｂに液晶１６が配置されている場所が温度表示部５２となっている。下基板５０の上側には基板及び第２基板としての上基板５１が配置され、下基板５０と上基板５１とにより液晶１６を挟んで配置されている。この上基板５１は光透過性のある板であればよく、ガラス板やプラスチック板等を採用することができる。本実施形態においては、例えば、ガラス板を採用している。上基板５１は孔５１ａを備え、この孔５１ａと上基板５１の外形とは下基板５０と略同じ形状となっている。そして、図１に示す腕時計本体２にはこの時針８が配置されている。
【００６７】
図７は、時針を製造する製造工程を示すフローチャートであり、図８は、時針の製造方法を説明する図である。図７において、ステップＳ１１は、液晶配置工程に相当し、下基板上に液晶を配置する工程である。次にステップＳ１２に移行する。ステップＳ１２は、シール材配置工程に相当し、下基板５０にシール材を塗布する工程である。次にステップＳ１３に移行する。ステップＳ１３は、封止工程に相当し、下基板と上基板とで液晶を挟むことにより、液晶を封止する工程である。以上の工程で時計用時針の製造工程を終了する。
【００６８】
次に、図８を用いて、図７に示したステップと対応させて、時針の製造方法を詳細に説明する。図８（ａ）〜図８（ｂ）は、ステップＳ１１に対応する図である。図８（ａ）に示すように、下基板５０を配置する。下基板５０の凹部５０ｂはエッチング法、放電加工法、鍛造法等を用いて形成することが可能である。本実施形態では、例えば、エッチング法を採用して凹部５０ｂを形成している。下基板５０の外形は冷間鍛造のブランキングにより形成している。この下基板５０を液滴吐出装置２１に設置して、凹部５０ｂと対向する場所に液滴吐出ヘッド３４を位置する。そして、凹部５０ｂに液滴吐出ヘッド３４のノズル３８から液晶１６を液滴４３にして吐出する。その結果、図８（ｂ）に示すように、凹部５０ｂに液晶１６が塗布される。このとき、液晶１６の塗布量は精度良く塗布されるので、基板としての基板上面５０ｃに塗布されないようにすることができる。
【００６９】
図８（ｃ）〜図８（ｄ）は、ステップＳ１２に対応する図である。図８（ｃ）に示すように、この下基板５０を液滴吐出装置２１に設置して、基板上面５０ｃと対向する場所に液滴吐出ヘッド３４を位置する。そして、凹部５０ｂに液滴吐出ヘッド３４のノズル３８からシール材５３を液滴４３にして吐出する。シール材５３は第１の実施形態におけるシール材４６と同様の材料を溶媒により粘度調整して用いている。その結果、図８（ｄ）に示すように、基板上面５０ｃにシール材５３が塗布される。
【００７０】
図８（ｅ）は、ステップＳ１３に対応する図である。図８（ｅ）に示すように、外形及び孔５１ａが形成された上基板５１を用意する。上基板５１の形状を形成する方法としては、エッチング法、レーザ光照射による切断法、ガラスカッタにより表面に傷をつけて切断する方法等を用いることができる。本実施形態では、例えば、エッチング法を採用している。液晶１６が塗布された下基板５０と上基板５１とを重ねて配置する。次に、下基板５０を真空チャンバ内に配置した後、真空チャンバ内の空気を脱気する。このとき、下基板５０と上基板５１とに挟まれた場所と液晶１６に介在する空気が脱気される。次に、真空チャンバに空気を流入した後、下基板１３を真空チャンバから取り出す。そして、シール材５３に紫外線を照射することにより、シール材５３を固化する。その後、シール材５３を加熱することにより、さらにシール材５３を固化してシール５４を形成する。以上の工程により時針８を製造する工程を終了する。尚、図１に示す分針９は時針８と同様の構造であり、分針９は時針８と同様の工程を用いて製造することができる。
【００７１】
上述したように、本実施形態によれば、以下の効果を有する。
（１）本実施形態によれば、時刻を確認するとき時刻を示す時針８と同時に温度表示部５２を見ることができる。従って、時刻を確認するとき、温度と時刻とを同時に知ることができる。
【００７２】
（２）本実施形態によれば、腕時計本体２の中で時針８は外気に近い場所に位置することから、時針８は外気の温度に近い温度となっている。従って、時針８に温度表示部５２を備えることにより気温を知ることができる。
【００７３】
（３）本実施形態によれば、液晶１６の材料である機能液４０を液滴４３にして吐出していることから、液晶１６の材料は必要な量だけ配置される。従って、液晶１６の材料を無駄なく配置することができる。
【００７４】
（４）本実施形態によれば、下基板５０に凹部５０ｂを形成した後、凹部５０ｂに液晶１６を塗布している。そして、下基板５０と上基板５１とをシール材５３にて接着している。液晶１６は凹部５０ｂに入っている為、シール材５３は薄くすることができる。その結果、時針８の厚みを薄くすることができる。そして、腕時計本体２の厚みを薄くすることができる。
【００７５】
（第３の実施形態）
本実施形態では、コレステリック液晶を用いることより、温度表示が可能な時計文字盤の一実施形態について図９を用いて説明する。この実施形態が第１の実施形態と異なるところは、コレステリック液晶を時計用文字盤の文字に配置する点にある。尚、上記の実施形態と同じ点については説明を省略する。
【００７６】
図９（ａ）は、文字盤を示す模式平面図であり、図９（ｂ）は、文字盤を示す模式断面図である。そして、図９（ｂ）は図９（ａ）のＣ−Ｃ’における断面図である。図９に示すように、文字盤５７は基板としての下基板５８を備えている。下基板５８は、外周５８ａが略円形に形成された円板であり、下基板５８の中心には孔５８ｂが形成されている。下基板５８は文字盤５７が撓み難い強度を備えていれば良く、金属板やプラスチック板を用いることができる。本実施形態においては、例えば、真鍮からなる板にニッケルメッキを施した板を採用している。
【００７７】
下基板５８には１〜１２の数字の形状に形成された溝５８ｃからなるマークとしての文字６０が形成されている。そして、この文字６０を形どる溝５８ｃには第１の実施形態と同様の液晶１６が配置されている。従って、反射率が高く、温度により反射光の波長が変化する特徴を備えている。この溝５８ｃに液晶１６が配置されている場所が温度表示部６１となっている。下基板５８の上側には基板としての上基板６２が配置され、下基板５８と上基板６２とにより液晶１６を挟んで配置されている。この上基板６２は光透過性のある板であればよく、ガラス板やプラスチック板等を採用することができる。本実施形態においては、例えば、ガラス板を採用している。上基板６２は孔６２ａを備え、この孔６２ａと上基板６２の外形とは下基板５８と略同じ形状となっている。そして、この文字盤５７は図１に示す腕時計１に配置して用いることができる。
【００７８】
この文字盤５７の構造は第２の実施形態における時針８と略同様の構成であり、略同様の製造工程にて製造することができる。
【００７９】
上述したように、本実施形態によれば、以下の効果を有する。
（１）本実施形態によれば、時刻を確認するとき時刻を示す文字６０と同時に温度表示部６１を見ることができる。従って、時刻を確認するとき、温度と時刻とを同時に知ることができる。
【００８０】
（第４の実施形態）
本実施形態では、コレステリック液晶を用いることより、温度表示が可能な時計用竜頭の一実施形態について図１０〜図１２を用いて説明する。この実施形態が第１の実施形態と異なるところは、コレステリック液晶を時計用竜頭に配置する点にある。尚、上記の実施形態と同じ点については説明を省略する。
【００８１】
図１０は、時計用竜頭を示す模式断面図である。図１０に示すように、時計用竜頭６５は円筒状に形成されている底部としての本体部６６を備えている。そして、本体部６６の隣には内部が空洞の半球状に形成された蓋部６７が配置されている。蓋部６７は光透過性の材料により形成されていればよく、ガラス、プラスチック等を用いることができる。本実施形態では、例えば、プラスチックを採用している。本体部６６と蓋部６７とに囲まれる場所には第１の実施形態と同様の液晶１６が配置されている。従って、反射率が高く、温度により反射光の波長が変化する特徴を備えている。この蓋部６７に液晶１６が配置されている場所が温度表示部６９となっている。そして、本体部６６において蓋部６７と反対側には巻芯６８が配置されている。巻芯６８は棒状に形成され、本体部６６と反対側には歯車６８ａが形成されている。そして、この歯車６８ａは図示しないムーブメントに配置された歯車と噛み合うように配置されている。操作者が本体部６６を回転するとき、歯車６８ａが回転して、ムーブメント内の歯車を回転するようになっている。そして、この時計用竜頭６５は図１に示す腕時計１の竜頭１１として配置することができる。
【００８２】
図１１は、時計用竜頭を製造する製造工程を示すフローチャートであり、図１２及び図１３は、時計用竜頭の製造方法を説明する図である。図１１において、ステップＳ２１は、液晶配置工程に相当し、蓋部に液晶を配置する工程である。次にステップＳ２２に移行する。ステップＳ２２は、封止工程に相当し、蓋部と本体部とで液晶を挟むことにより、液晶を封止する工程である。次にステップＳ２３に移行する。ステップＳ２３は、巻芯組立工程に相当し、本体部と巻芯とを組み立てる工程である。以上の工程で時計用竜頭の製造工程を終了する。
【００８３】
次に、図１２を用いて、図７に示したステップと対応させて、時針の製造方法を詳細に説明する。図１２（ａ）及び図１２（ｂ）は、ステップＳ２１に対応する図である。図１２（ａ）に示すように、支持部材７０に蓋部６７を複数配置した後、この支持部材７０を液滴吐出装置２１のステージ２４に配置する。この蓋部６７は射出成形法を用いて半球状に形成されている。そして、蓋部６７と対向する場所に液滴吐出ヘッド３４を位置する。そして、蓋部６７の内側６７ａに液滴吐出ヘッド３４のノズル３８から液晶１６を液滴４３にして吐出する。その結果、図１２（ｂ）に示すように、蓋部６７の内側６７ａに液晶１６が塗布される。このとき、液晶１６の塗布量は精度良く塗布されるので、蓋部６７から溢れてステージ２４にこぼれないように塗布することができる。
【００８４】
図１２（ｃ）〜図１３（ｃ）はステップＳ２２に対応する図である。図１２（ｃ）に示すように、ロールコータ７１を用いて本体部６６にシール材７２を塗布する。このとき、本体部６６の側面において蓋部６７と接合される接合部６６ａにシール材７２を塗布する。ロールコータ７１は回転するロール７１ａと制御板７１ｂ等から構成されている。そして、制御板７１ｂが塗布量を制御し、ロール７１ａがシール材７２を均一な厚みに塗布するようになっている。このロール７１ａの一端が回転しながら本体部６６の接合部６６ａと接触する。そして、接合部６６ａの総ての周囲にシール材７２を塗布する。
【００８５】
次に、支持部材７０に配置されている蓋部６７と本体部６６とを真空チャンバに配置した後、真空チャンバ内の空気を脱気する。そして、図１３（ａ）に示すように、本体部６６を蓋部６７と対向する場所に移動した後、本体部６６と蓋部６７とを合わせて接合する。このとき、本体部６６の接合部６６ａと蓋部６７の内側６７ａとを合わせる。次に、真空チャンバ内に空気を流入する。その結果、図１３（ｂ）に示すように、本体部６６と蓋部６７とが組み立てられる。このとき、本体部６６と蓋部６７とが真空中にて組み立てられることにより、蓋部６７の内側６７ａに気泡ができないようになっている。
【００８６】
続いて、図１３（ｃ）に示すように、紫外線照射装置７３から照射される紫外線７４をシール材７２に照射してシール材７２を固化する。さらに、本体部６６及び蓋部６７を加熱してシール材７２を固化しても良い。
【００８７】
図１３（ｄ）はステップＳ２３に対応する図である。図１３（ｄ）に示すように、本体部６６の中心には雌ねじ部６６ｂが形成されている。そして、巻芯６８の一端には雄ねじ部６８ｂが形成されている。この雌ねじ部６６ｂと雄ねじ部６８ｂとを合わせて回転することにより、本体部６６と巻芯６８とが組み立てられる。その後、雌ねじ部６６ｂと雄ねじ部６８ｂとに接着材を塗布する。以上の工程により時計用竜頭６５を製造する工程を終了する。
【００８８】
上述したように、本実施形態によれば、以下の効果を有する。
（１）本実施形態によれば、時計用竜頭６５には温度表示部６９が備わっている。そして、時計用竜頭６５は時計用文字盤は時計の外気に触れる場所に配置されることが多いので、時計用竜頭６５は外気の温度に近い温度になることが多い。従って、時計用竜頭６５を見ることにより気温の温度を知ることができる。
【００８９】
（第５の実施形態）
本実施形態では、コレステリック液晶を用いることより、温度表示が可能な手首用バンドの一実施形態について図１４を用いて説明する。この実施形態が第１の実施形態と異なるところは、コレステリック液晶を手首用バンドに配置する点にある。尚、上記の実施形態と同じ点については説明を省略する。
【００９０】
図１４（ａ）は、手首用バンドを示す模式平面図であり、図１４（ｂ）は、手首用バンドを示す模式側面図である。図１４（ａ）および（ｂ）に示すように、手首用バンド３は第１ベルト７７と第２ベルト７８とを有している。そして、手首用バンド３は第１ベルト７７と第２ベルト７８と接続する接続具１２を備えている。第２ベルト７８には、第２ベルト７８の長手方向に孔７８ａが並んで配列され、接続具１２が引っ掛ける孔７８ａを変更することにより、手首用バンド３の長さを変更することが可能となっている。
【００９１】
手首用バンド３はその両端に、長手方向と直交する方向に形成される孔が手首用バンド３の全幅に渡って形成された接続部７７ａ及び接続部７８ｂを備えている。そして、この接続部７７ａ及び接続部７８ｂが図１に示すバンド接続部１０と接続されるようになっている。
【００９２】
第１ベルト７７の表面７７ｂには、温度によって色調が変化する温度表示部としての第１温度表示部７９が配置され、第１ベルト７７の裏面７７ｃには第１温度表示部７９と同様の温度表示部としての第２温度表示部８０が配置されている。そして、第２温度表示部８０と対向する場所の第１ベルト７７には穴部７７ｄが形成されており、表面７７ｂ側から穴部７７ｄを通して第２温度表示部８０を観察可能となっている。
【００９３】
手首用バンド３を腕に巻いたとき、第２温度表示部８０は腕に接触するので、第２温度表示部８０は腕の温度に対応する色の色調となる。そして、第１温度表示部７９は、手首用バンド３を腕に巻いたときでも、大気に触れているので、気温に対応する色の色調となる。従って、腕の温度と気温との両方の温度を確認することが可能になっている。そして、この手首用バンド３は図１の腕時計１に配置することができる。
【００９４】
図１４（ｃ）は温度表示部を示す模式断面図である。図１４（ｃ）に示すように、第１温度表示部７９は基板としての下基板８１と光透過性の基板としての上基板８２とを備えている。そして下基板８１と上基板８２とが液晶１６挟んで形成され、シール１４により液晶１６が封止されている。第１温度表示部７９の製造方法は第１の実施形態における文字盤７と同様な製造方法を用いて製造することが可能である。又、第２温度表示部８０は第１温度表示部７９と同じ構造とすることができる。
【００９５】
上述したように、本実施形態によれば、以下の効果を有する。
（１）本実施形態によれば、手首用バンド３には、第１温度表示部７９及び第２温度表示部８０が備わっている。そして、手首用バンド３は携帯性が良いので、所望の場所で手首用バンド３の第１温度表示部７９及び第２温度表示部８０を見ることにより、温度を知ることができる。
【００９６】
（２）本実施形態によれば、第１温度表示部７９が気温に対応する色調を表示し、第２温度表示部８０が腕の温度に対応する色調を表示している。従って、気温と腕の温度とを両方観測することができる。
【００９７】
（第６の実施形態）
本実施形態では、コレステリック液晶を用いることより、温度表示が可能な腕時計の一実施形態について図１５を用いて説明する。この実施形態が第１の実施形態と異なるところは、腕時計がスケルトン型の腕時計であり、コレステリック液晶が裏蓋に近い場所に配置されている点にある。尚、上記の実施形態と同じ点については説明を省略する。
【００９８】
図１５（ａ）は、スケルトン型腕時計を示す概略斜視図であり、図１５（ｂ）は、スケルトン型腕時計本体を示す模式断面図である。図１５（ａ）に示すように、スケルトン腕時計としての腕時計８５は腕時計本体８６と手首用バンド８７とを備えている。そして、図１５（ｂ）に示すように、腕時計本体８６は側面に円筒状の外装部８８を備えている。そして、外装部８８の一端にはガラス板８９が配置され、他端には裏蓋９０が配置されている。外装部８８の内部には指針駆動部としてのムーブメント９１とムーブメント９１により回転駆動される時針９２及び分針９３が配置されている。ムーブメント９１には穴部９１ａが形成され、ガラス板８９を通してムーブメント９１内の歯車や軸受け等の部品が観測可能となっている。さらに、裏蓋９０においてムーブメント９１側には温度表示部９４が配置され、この温度表示部９４はガラス板８９及びムーブメント９１を通して観測可能となっている。
【００９９】
温度表示部９４は第５の実施形態における第１温度表示部７９と略同様に形成されている。温度表示部９４の内部にはコレステリック液晶が配置され、裏蓋９０の温度に対応した色調を表示するようになっている。そして、腕時計８５を腕に装着するとき、裏蓋９０は腕と接触して腕の温度と略同じ温度となる。従って、温度表示部９４は腕の温度に対応する色調を表示するようになっている。
【０１００】
上述したように、本実施形態によれば、以下の効果を有する。
（１）本実施形態によれば、この腕時計８５は裏蓋９０に温度表示部９４を備えている。人がこの腕時計８５を装着するとき、裏蓋９０は腕に密着することが多い。このとき、温度表示部９４は裏蓋９０に接触して配置されるので、腕の温度に近い温度に対応する色調を表示することができる。そして、体温が高いとき、腕の温度も高くなるので、体温の高低の傾向を知ることができる。
【０１０１】
（第７の実施形態）
本実施形態では、コレステリック液晶を用いることより、温度表示が可能なデジタル式腕時計の一実施形態について図１６を用いて説明する。この実施形態が第１の実施形態と異なるところは、腕時計がデジタル式の腕時計であり、コレステリック液晶が時刻を表示する側の場所に配置する点にある。尚、上記の実施形態と同じ点については説明を省略する。
【０１０２】
図１６（ａ）は、デジタル式腕時計を示す概略斜視図であり、図１６（ｂ）は、デジタル式腕時計本体を示す模式断面図である。図１６（ａ）に示すように、デジタル時計としての腕時計９７は腕時計本体９８と手首用バンド８７とを備えている。そして、図１６（ｂ）に示すように、腕時計本体９８は側面に略円筒状の外装部９９を備えている。そして、外装部９９の一端にはガラス板１００が配置され、他端には裏蓋１０１が配置されている。外装部９９の内部には時刻を演算する計時部としてのムーブメント１０２とムーブメント１０２により駆動される時刻表示部１０３が配置されている。この時刻表示部１０３は液晶表示パネル等により構成されている。
【０１０３】
時刻表示部１０３の周囲には、温度表示部１０４が配置されている。この温度表示部１０４は基板としての下基板１０５及び光透過性の基板としての上基板１０６を備え、下基板１０５と上基板１０６との間には液晶１６が配置されている。この液晶１６はシール１０７により囲まれて配置されており、文字盤７から漏れ出さないようになっている。そして、液晶１６はカイラル材を含有するコレステリック液晶等からなり、反射率が高く、温度により反射光の波長が変化する特徴を備えている。従って、金属光沢に近い外観を備えている。この温度表示部１０４は第１の実施形態における文字盤７の構造と略同じ構造となっているので、文字盤７と同じ製造方法を用いて製造することができる。
【０１０４】
上述したように、本実施形態によれば、以下の効果を有する。
（１）本実施形態によれば、この腕時計９７は、時刻表示部１０３に近い場所に温度表示部１０４を備えている。そして、時刻を確認するとき時刻を示す時刻表示部１０３と同時に温度表示部１０４を見ることができる。従って、時刻を確認するとき、温度と時刻とを同時に知ることができる。
【０１０５】
（２）本実施形態によれば、時刻表示部１０３はガラス板１００に近い場所に配置されている。そして、時刻表示部１０３は外気に近い場所に配置されているで、温度表示部１０４は気温に近い温度になることが多い。従って、温度表示部１０４を見ることにより概略の気温を知ることができる。
【０１０６】
尚、本実施形態は上述した実施形態に限定されるものではなく、種々の変更や改良を加えることも可能である。変形例を以下に述べる。
（変形例１）
前記第１の実施形態では、文字盤７に数字６が配置されたが、文字やマークでも良い。時刻を知る補助となる印の機能を備えていれば良い。
【０１０７】
（変形例２）
前記第１の実施形態では、腕時計本体２及び文字盤７は略円形をしていたが、略円形以外の形状でも良い。例えば、多角形や楕円形等を採用しても良い。外観デザインに合わせて変更しても良い。
【０１０８】
（変形例３）
前記第１の実施形態では、文字盤７に非装着時換算表示部１７及び装着時換算表示部１８を配置して、温度を確認できるようにした。前記第１の実施形態に限らず、前記第２の実施形態〜前記第７の実施形態においても、非装着時換算表示部１７及び装着時換算表示部１８を配置しても良い。液晶１６の色調と非装着時換算表示部１７及び装着時換算表示部１８とを比較して温度を認識することができる。
【０１０９】
（変形例４）
前記第６の実施形態では、裏蓋９０に対してガラス板８９側に温度表示部９４を配置したが、裏蓋９０に対してガラス板８９側の反対側に温度表示部９４を配置しても良い。裏蓋９０を光透過性の材質により形成することにより、温度表示部９４はガラス板８９を通して観察することができる。そして、腕時計８５を腕に装着するとき、温度表示部９４が腕に接触する為、温度表示部９４は腕の温度を精度良く表示することができる。
【０１１０】
（変形例５）
前記第１の実施形態では、文字盤７は腕時計１に配置されたが、壁掛け用の時計に配置しても良い。腕時計１と同様に部屋の気温を表示することができる。
【０１１１】
（変形例６）
前記第５の実施形態では、手首用バンド３は腕時計本体２と接続して用いたが、腕時計を接続せず、手首用バンド３単体で用いても良い。装飾品としてのバンドに第１温度表示部７９及び第２温度表示部８０を配置しても良い。温度を表示可能な装飾品とすることができる。
【０１１２】
（変形例７）
前記第７の実施形態では、温度表示部１０４は時刻表示部１０３の周囲に配置されたが、温度表示部１０４は時刻表示部１０３とムーブメント１０２との間に配置しても良い。時刻表示部１０３と温度表示部１０４とを同時に確認することができる。
【図面の簡単な説明】
【０１１３】
【図１】第１の実施形態に係る腕時計の構成を示す概略斜視図。
【図２】（ａ）は、文字盤を示す模式平面図、（ｂ）は文字盤を示す模式断面図。
【図３】（ａ）は、液滴吐出装置の構成を示す概略斜視図、（ｂ）は、液滴吐出ヘッドの構造を説明するための要部模式断面図。
【図４】文字盤の製造工程を示すフローチャート。
【図５】文字盤の製造方法を説明する図。
【図６】第２の実施形態に係り、（ａ）は、時針を示す模式平面図、（ｂ）は、時針を示す模式断面図。
【図７】時針を製造する製造工程を示すフローチャート。
【図８】時針の製造方法を説明する図。
【図９】第３の実施形態に係り、（ａ）は、文字盤を示す模式平面図、（ｂ）は、文字盤を示す模式断面図。
【図１０】第４の実施形態に係る時計用竜頭を示す模式断面図。
【図１１】時計用竜頭を製造する製造工程を示すフローチャート。
【図１２】時計用竜頭の製造方法を説明する図。
【図１３】時計用竜頭の製造方法を説明する図。
【図１４】第５の実施形態に係り、（ａ）は、手首用バンドを示す模式平面図、（ｂ）は、手首用バンドを示す模式側面図。
【図１５】第６の実施形態に係り、（ａ）は、スケルトン型腕時計を示す概略斜視図、（ｂ）は、スケルトン型腕時計本体を示す模式断面図。
【図１６】第７の実施形態に係り、（ａ）は、デジタル式腕時計を示す概略斜視図、（ｂ）は、デジタル式腕時計本体を示す模式断面図。
【符号の説明】
【０１１４】
１…腕時計、３…手首用バンド、６…マークとしての数字、７…文字盤、８…指針としての時針、９…指針としての分針、１３，５０…基板及び第１基板としての下基板、１５，５１…基板及び第２基板としての上基板、１６…液晶層としての液晶、１７…色温度換算表示部としての非装着時換算表示部、１８…色温度換算表示部としての装着時換算表示部、１９，５２，６１，９４，１０４…温度表示部、５８，８１，１０５…基板としての下基板、６０…マークとしての文字、６２，８２，１０６…基板としての上基板、６６…底部としての本体部、６７…蓋部、７９…温度表示部としての第１温度表示部、８０…温度表示部としての第２温度表示部、８５…スケルトン腕時計としての腕時計、９１…指針駆動部としてのムーブメント、９７…デジタル時計としての腕時計、９９…外装部、１０１…裏蓋、１０２…計時部としてのムーブメント、１０３…時刻表示部。
【図１】
2009133659.tif 000003
【図３】
2009133659.tif 000004
【図４】
2009133659.tif 000005
【図５】
2009133659.tif 000006
【図６】
2009133659.tif 000007
【図７】
2009133659.tif 000008
【図８】
2009133659.tif 000009
【図９】
2009133659.tif 000010
【図１０】
2009133659.tif 000011
【図１１】
2009133659.tif 000012
【図１２】
2009133659.tif 000013
【図１３】
2009133659.tif 000014
【図１４】
2009133659.tif 000015
【図１５】
2009133659.tif 000016
【図１６】
2009133659.tif 000017
【図２】
2009133659.tif 000018